(57)【要約】【課題】低コスト、簡単作業によって取り付けが可能で、取り付け用枠材の長期間の固定が確実にできる取り付け用枠材の調整装置を提供する。【解決手段】本発明の建具取り付け用枠材の調整装置１は、壁面に取り付け可能である壁側取り付け部材２と、壁面２３と対向する取り付け用枠材２１に取り付け可能であって、壁側取り付け部材２と対になる枠側取り付け部材３と、壁側取り付け部材２と枠側取り付け部材３との対向距離を調整する調整部材４と、を備え、壁側取り付け部材２と調整装置４とは、第１ねじ溝７と第２ねじ溝１７との螺合によって、枠側取り付け部材３を挟んで、壁面２３と取り付け用枠材２１との対向距離を調整し、第１ねじ溝７と第２ねじ溝１７とが螺合する回転軸と壁側取り付け部材２の固定軸とは、位置が異なる【選択図】図１
2011074631.tif 000002
【特許請求の範囲】
【請求項１】
壁面に取り付け可能である壁側取り付け部材と、
前記壁面と対向する取り付け用枠材に取り付け可能であって、前記壁側取り付け部材と対になる枠側取り付け部材と、
前記壁側取り付け部材と前記枠側取り付け部材との対向距離を調整する調整部材と、を備え、
前記壁側取り付け部材は、
前記壁面に固定する複数の固定孔と、
前記複数の固定孔と異なる位置に設けられると共に外周面および内周面の少なくとも一方に第１ねじ溝を形成した第１筒部と、を有し、
前記枠側取り付け部材は、
前記取り付け用枠材に固定可能な座部と、
前記第１筒部が挿入される第１孔と、を有し、
前記調整部材は、
前記第１筒部を内部に挿入可能な貫通孔を有すると共に、前記貫通孔の内周面および外周面の少なくとも一方に前記第１ねじ溝と螺合する第２ねじ溝を形成する第２筒部を有し、
前記第１ねじ溝と前記第２溝とが螺合する回転軸と前記複数の固定孔のそれぞれの中心軸とは、位置が異なる建具取り付け用枠材の調整装置。
【請求項２】
前記固定孔から固定具が装着されて前記壁面に前記壁側取り付け部材が固定され、
前記壁面に固定された前記壁側取り付け部材に、前記第１筒部が前記第１孔に挿入されることで前記枠側取り付け部材が取り付けられ、
前記第１ねじ溝と前記第２ねじ溝とが螺合することで、前記枠側取り付け部材が、前記壁側取り付け部材と前記調整部材とに挟まれ、前記第１ねじ溝と前記第２ねじ溝との螺合量によって前記壁側取り付け部材と前記枠側取り付け部材との対向距離が調整される請求項１記載の建具取り付け用枠材の調整装置。
【請求項３】
前記調整部材は、前記第２筒部に接続され前記枠側取り付け部材を押さえる座面を有し、
前記座面が前記枠側取り付け部材を押さえることで、前記壁側取り付け部材と前記枠側取り付け部材との対向距離を調整する請求項２記載の建具取り付け用枠材の調整装置。
【請求項４】
前記第１ねじ溝と前記第２ねじ溝との螺合によって、前記壁側取り付け部材に対して前記枠側取り付け部材が前後移動する請求項１から３のいずれか記載の建具取り付け用枠材の調整装置。
【請求項５】
前記壁側取り付け部材は、前記複数の固定孔のそれぞれに接続する外筒を有し、前記枠側取り付け部材は、前記外筒と嵌合する第２孔とを有し、
前記第１孔に前記第１筒部が挿入されると共に前記第２孔に前記外筒が挿入されることで、前記壁側取り付け部材に対して前記枠側取り付け部材が回転しなくなる請求項１から４のいずれか記載の建具取り付け用枠材の調整装置。
【請求項６】
前記座部は、前記取り付け用枠材に固定可能なねじ孔を有する請求項１から５のいずれか記載の建具取り付け用枠材の調整装置。
【請求項７】
前記第１ねじ溝に螺合し前記貫通孔から挿入されて前記壁面に対して前記調整部材を固定する固定部材をさらに備える請求項１から６のいずれか記載の建具取り付け用枠材の調整装置。
【請求項８】
前記壁面に取り付けられた前記壁側取り付け部材の前記第１筒部が、前記取り付け用枠材に取り付けられた前記枠側取り付け部材の前記第１孔に挿入され、前記第１ねじ溝と前記第２ねじ溝とが螺合することで前記調整部材が前記枠側取り付け部材を押さえ、前記第１ねじ溝と前記第２ねじ溝との螺合量によって前記壁側取り付け部材と前記枠側取り付け部材との対向距離が調整される請求項１から７のいずれか記載の建具取り付け用枠材の調整装置。
【請求項９】
前記貫通孔は、外部から工具を挿入可能であって、前記工具によって前記第２筒部が回転されて前記第１ねじ溝と前記第２ねじ溝とが螺合する請求項１から８のいずれか記載の建具取り付け用枠材の調整装置。
【請求項１０】
請求項１から９のいずれか記載の建具取り付け用枠材の調整装置が取り付けられた建具取り付け用枠材。
【請求項１１】
壁面に取り付け可能である壁側取り付け部材と、
前記壁面と対向する取り付け用枠材に取り付け可能であって、前記壁側取り付け部材と対になる枠側取り付け部材と、
前記壁側取り付け部材と前記枠側取り付け部材との対向距離を調整する調整部材と、を備える建具取り付け用枠材の調整装置を用いた取り付け用枠材の固定方法であって、
前記壁側取り付け部材、前記枠側取り付け部材および前記調整部材同士が組み合わされ、組み合わされた状態で前記取り付け用枠材に固定され、
固定においては、前記壁側取り付け部材の有する第１筒部が前記調整部材の有する貫通孔に挿入されると共に、前記第１筒部に形成された第１ねじ溝と前記貫通孔に形成された第２ねじ溝とが螺合して前記壁側取り付け部材と前記調整部材が前記枠側取り付け部材を挟んで取り付けられ、
前記調整装置が固定された取り付け用枠材が、前記壁面に対向するように設置され、
前記取り付け用枠材に挿入した工具により、前記壁側取り付け部材が前記壁面に固定され、
前記取り付け用枠材に挿入した工具により、前記調整部材が動作されて、前記第１ねじ溝と前記第２ねじ溝との螺合が進んで、前記壁側取り付け部材と前記枠側取り付け部材との対向距離が調整され、
前記調整部材における前記第１ねじ溝に対する前記第２ねじ溝の回転軸と、前記固定孔の固定軸とは、異なる位置である建具取り付け用枠材の固定方法。
【請求項１２】
壁面に取り付け可能である壁側取り付け部材と、
前記壁面と対向する取り付け用枠材に取り付け可能であって、前記壁側取り付け部材と対になる枠側取り付け部材と、
前記壁側取り付け部材と前記枠側取り付け部材との対向距離を調整する調整部材と、を備える建具取り付け用枠材の調整装置を用いた取り付け用枠材の固定方法であって、
前記壁側取り付け部材が有する複数の固定孔に固定具が装着されることで、前記壁側取り付け部材が前記壁面に固定され、
前記枠側取り付け部材が有する座部によって、前記枠側取り付け部材が前記取り付け用枠材に固定され、
前記壁側取り付け部材が有する第１筒部が、前記枠側取り付け部材が有する第１孔に挿入されて前記壁側取り付け部材に前記枠側取り付け部材が装着され、
前記第１筒部の外周面および内周面の少なくとも一方に形成される第１ねじ溝に、前記調整部材が有する貫通孔に形成される第２ねじ溝が螺合し、
前記調整部材が前記枠側取り付け部材を、前記壁側取り付け部材に押し付けることで、壁側取り付け部材と前記枠側取り付け部材との対向距離が調整され、
前記調整部材における前記第１ねじ溝に対する前記第２ねじ溝の回転軸と、前記固定孔の固定軸とは、異なる位置である建具取り付け用枠材の固定方法。
【発明の詳細な説明】
【技術分野】
【０００１】
本発明は、壁や柱などの建物の構造物に、ドア、戸板、窓などを取り付ける建具取り付け用枠材（以下、「取り付け用枠材」という）の、取り付け位置や取り付け角度を調整する建具取り付け用枠材の調整装置に関するものである。
【背景技術】
【０００２】
戸建て住宅、集合住宅、商業ビルなどの建築物は、多数のドア、戸板、窓などを含む。ドアや窓などは、壁や柱に直接取り付けられるのではなく、ドアや窓を取り付ける取り付け用枠材を介して取り付けられる。
【０００３】
従来は、壁や柱などの建築工事が終了し内装工事前の時点において、壁や柱に取り付け用枠材が取り付けられる。この場合には、取り付けられるドアや窓の大きさ、形状に合わせて取り付け用枠材が取り付けられる。すなわち、内装工事が開始される際には、壁や柱に取り付け用枠材が取り付け済みである。
【０００４】
しかしながら、内装工事を行っている最中に、部材や作業者が取り付け用枠材にぶつかるなどによって、取り付け用枠材の取り付け位置がずれることがある。この場合には、位置のずれた取り付け用枠材に、ドアや窓の形状や大きさをあわせる必要が生じる。最終的な施工業者へのしわ寄せが大きい問題がある。
【０００５】
また、後からドアや窓のサイズを変えたり取り付け用枠材を取り替えたりするためには、壁の一部から取り壊す必要もあった。
【０００６】
あるいは、取り付け用枠材が取り付けられた後で、建築物の最終完成までには、多くの業者や作業者が出入りする。この出入りの際の取り付け用枠材の破損防止のために、取り付け用枠材は、養生される必要がある。しかし、養生をしていたとしても、取り付け用枠材は壁面の角部に位置するため、作業中に破損や傷が生じてしまう。このような破損や傷に対しては、施工および取り付け用枠材の製造業者へのクレームとなることもある。
もちろん、このような破損や傷は、取り付け用枠材の水平・垂直調整を狂わせてしまうことになる。
【０００７】
このように、取り付け用枠材を内装工事まえに取り付けてしまうことは、クレームの原因となったり、事後的なコストアップや低い柔軟性を生じさせてしまったりする。近年では、百年住宅や二百年住宅など、居住期間を長くする住宅の着工が望まれており、このような居住期間の長い住宅においては、事後的にドアの種類を変えたり位置を変えたりする必要が生じる。このような場合、取り付け用枠材が壁に取り付けられてからドアの取り付けが行われていると、壁をすべて壊してからドアを取り替えなくてはならず、ランニングコストが増加する。
【０００８】
以上のような工事作業の手戻りを防止したり長期間住宅でのランニングコストを低減したりするために、取り付け用枠材を内装工事の後に取り付ける工事方法が用いられ始めている。このような取り付け用枠材の後からの取り付けは、壁や柱の施工仕上がり具合に対応して、取り付け用枠材の取り付け位置を調整する必要がある。具体的には、壁面と取り付け用枠材との間隔を調整することが必要である。
【０００９】
このような取り付け用枠材の調整に用いられる装置が提案されている（例えば、特許文献１、特許文献２参照）。
【００１０】
【特許文献１】特許第３２４５７７３号公報
【特許文献２】特許第２９６４２３９号公報
【発明の開示】
【発明が解決しようとする課題】
【００１１】
しかしながら、特許文献１の調整装置は、部品点数が多く構造も複雑である。このため、調整装置そのものの製造コストと調整作業コストとが高くなる問題がある。
【００１２】
また、特許文献１の調整装置は、円筒部材内部のカム板によって回転が停止されてロックされる。しかし、カム板によるロックでは、経時劣化によってロックが緩んでしまう。また、特許文献１の調整装置は、取り付け用枠材側の部材が回転することで、取り付け用枠材の位置が調整される。このため、カム板の緩みによって回転部が、不用意に回転してしまうこともありうる。この場合には、次第に取り付け用枠材の調整位置がずれてしまうこともある。あるいは、なんらかの衝撃によって調整位置がずれることも生じる。
【００１３】
特許文献２は、中央に貫通孔を有すると共に相互に螺合するねじ溝を有する部材同士の螺合によって部材同士が前後移動して、壁面と取り付け用枠材との対向距離を調整する。このとき、壁側部材の壁面への固定軸と枠側部材と壁側部材の嵌合における回転軸とが同じとなる。
【００１４】
特許文献１および特許文献２をはじめとする従来の調整装置は、同一の回転軸上に、壁側取り付け部材、枠側取り付け部材および調整部材が並んでいる。このため、壁側取り付け部材を壁面に固定するためのねじの回転も壁側取り付け部材に対する枠側取り付け部材の回転も同一の回転軸上で行われることになる。
【００１５】
このため、壁側取り付け部材の固定と、壁側取り付け部材と枠側取り付け部材との回転（この回転によって壁面と取り付け用枠材との対向距離が調整される）と、がバッティング現象を起こしてしまう。たとえば、壁側取り付け部材と枠側取り付け部材との対向距離の調整が終わった後で、壁側取り付け部材の壁面への固定を確実にすると対向距離の調整が狂ってしまう。逆に、壁側取り付け部材の壁面への固定を確実にした後で、壁側取り付け部材と枠側取り付け部材との対向距離の調整を行うと、同一回転軸での回転によって、壁側取り付け部材の壁面への固定が弱くなる問題もある。
【００１６】
壁側取り付け部材の壁面への固定あるいは壁側取り付け部材と枠側取り付け部材との回転のいずれを優先しても、他方への弊害が生じて、高い精度での壁面と取り付け用枠材との対向距離の調整が困難である。
【００１７】
このように、従来の調整装置は、すべての部材が同一回転軸上に存在し、同一回転軸において壁側取り付け部材の固定と壁側取り付け部材に対する枠側取り付け部材の螺合が行われると、取り付けにおける精度の劣化や作業時間の増加を引き起こす。更には、壁側取り付け部材の壁面への固定や対向距離の調整が時間経過と共に緩んでしまう可能性があり、住宅や商業ビルの耐久年数にドアの取り付けが耐用できない問題がある。
【００１８】
また、同一回転軸上にすべての部材が並んだ上で部材の固定や調整がなされることで、取り付け用枠材は、一点を基準にした鉛直平面で取り付け用枠材に固定される。一般的に、調整部材は１つの取り付け用枠材に複数用いられる。壁面の状況によっては、壁面に対して取り付け用枠材を斜めに取り付ける必要が生じる。斜めになってしまうと、調整部材のそれぞれは、取り付け用枠材に対して一端は強く接触し他端は離隔する状態で固定される。すなわち、調整部材の座面は、取り付け用枠材と点接触しかできず、十分に面接触できない状態が生じる。
【００１９】
このように調整部材の座面が取り付け用枠材に十分に面接触できないことで、調整部材の取り付け用枠材への固定が不十分となったり、点接触による取り付け用枠材への調整部材の食い込みによる劣化や損傷が生じたりする問題も生じる。
【００２０】
戸建て住宅や商業ビルそのものに要求される耐用年数は増加する一方である。
このため、経時劣化の度合いが大きく調整位置のずれが簡単に生じてしまうと、ドアや窓の開閉が難しくなることもある。高齢化と戸建て住宅の耐用年数が伸びることにあわせて、住宅には高齢者が多くなり、高齢者にとっては、ドアや窓の開閉がしにくいことは不便である。
【００２１】
災害や経年劣化に強く、高齢者や体の弱い者にとってやさしい戸建て住宅や商業ビルを実現するには、日々使用するドアや窓の開閉が長期に渡ってスムーズであることが必要である。
【００２２】
以上のように、従来技術の調整装置は、（１）調整の精度が不十分、（２）調整作業がやりにくい、（３）調整もしくは固定が不十分となって、時間経過に伴って取り付け用枠材のずれが生じやすい、（４）取り付け用枠材や壁面への損傷が生じやすい、（５）取り付け用枠材の調整が将来的にずれることによる将来的なコスト増、などの問題を有している。
【００２３】
本発明は、上記課題を解決し、取り付け用枠材の長期間の固定が確実にできる取り付け用枠材の調整装置を提供することを目的とする。
【課題を解決するための手段】
【００２４】
上記課題に鑑み、本発明の建具取り付け用枠材の調整装置は、壁面に取り付け可能である壁側取り付け部材と、壁面と対向する取り付け用枠材に取り付け可能であって、壁側取り付け部材と対になる枠側取り付け部材と、壁側取り付け部材と枠側取り付け部材との対向距離を調整する調整部材と、を備え、壁側取り付け部材は、壁面に固定する複数の固定孔と、複数の固定孔と異なる位置に設けられると共に外周面および内周面の少なくとも一方に第１ねじ溝を形成した第１筒部と、を有し、枠側取り付け部材は、取り付け用枠材に固定可能な座部と、第１筒部が挿入される第１孔と、を有し、調整部材は、第１筒部を内部に挿入可能な貫通孔を有すると共に、貫通孔の内周面および外周面の少なくとも一方に第１ねじ溝と螺合する第２ねじ溝を形成する第２筒部を有し、第１ねじ溝と第２溝とが螺合する回転軸と複数の固定孔のそれぞれの中心軸とは、位置が異なる。
【発明の効果】
【００２５】
本発明の建具取り付け用枠材の調整装置は、作業がしやすく、壁側取り付け部材を壁面に確実に固定した上で、壁側取り付け部材と枠側取り付け部材との距離を調整できる。この結果、壁面と取り付け用枠材との対向距離の調整後に、壁側取り付け部材の固定によって調整量が狂ったり、壁側取り付け部材と壁面との固定が緩んだりすることがなくなる。すなわち、調整の精度が高まる。
【００２６】
加えて、調整と固定とが衝突しないことで、調整されて取り付け作業の終了した取り付け用枠材の調整作業が楽になる。
【００２７】
また、固定や調整に事後的な狂いが生じにくいことで、取り付け用枠材の耐久性も高まり、住宅や商業ビルのランニングコストを低減できる。
【発明を実施するための最良の形態】
【００２８】
本発明の第１の発明に係る建具取り付け用枠材の調整装置は、壁面に取り付け可能である壁側取り付け部材と、壁面と対向する取り付け用枠材に取り付け可能であって、壁側取り付け部材と対になる枠側取り付け部材と、壁側取り付け部材と枠側取り付け部材との対向距離を調整する調整部材と、を備え、壁側取り付け部材は、壁面に固定する複数の固定孔と、複数の固定孔と異なる位置に設けられると共に外周面および内周面の少なくとも一方に第１ねじ溝を形成した第１筒部と、を有し、枠側取り付け部材は、取り付け用枠材に固定可能な座部と、第１筒部が挿入される第１孔と、を有し、調整部材は、第１筒部を内部に挿入可能な貫通孔を有すると共に、貫通孔の内周面および外周面の少なくとも一方に第１ねじ溝と螺合する第２ねじ溝を形成する第２筒部を有し、第１ねじ溝と第２溝とが螺合する回転軸と複数の固定孔のそれぞれの中心軸とは、位置が異なる。
【００２９】
この構成により、壁側取り付け部材の壁面への固定、枠側取り付け部材の取り付け用枠材への固定、調整部材による壁側取り付け部材と枠側取り付け部材との対向距離の調整は、それぞれ独立した動作軸を有するようになる。結果として、それぞれの作業が他の作業に悪影響を与えることがなくなる。
【００３０】
本発明の第２の発明に係る建具取り付け用枠材の調整装置では、第１の発明に加えて、固定孔から固定具が装着されて壁面に壁側取り付け部材が固定され、壁面に固定された壁側取り付け部材に、第１筒部が第１孔に挿入されることで枠側取り付け部材が取り付けられ、第１ねじ溝と第２ねじ溝とが螺合することで、枠側取り付け部材が、壁側取り付け部材と調整部材とに挟まれ、第１ねじ溝と第２ねじ溝との螺合量によって壁側取り付け部材と枠側取り付け部材との対向距離が調整される。
【００３１】
この構成により、壁側取り付け部材の壁面への固定とは独立し状態で、壁側取り付け部材と枠側取り付け部材との対向距離の調整ができる。
【００３２】
本発明の第３の発明に係る建具取り付け用枠材の調整装置では、第２の発明に加えて、調整部材は、第２筒部に接続され枠側取り付け部材を押さえる座面を有し、座面が枠側取り付け部材を押さえることで、壁側取り付け部材と枠側取り付け部材との対向距離を調整する。
【００３３】
この構成により、壁側取り付け部材と調整部材とが、枠側取り付け部材を挟むことで、壁側取り付け部材と枠側取り付け部材との対向距離が調整できる。
【００３４】
本発明の第４の発明に係る建具取り付け用枠材の調整装置では、第１から第３のいずれかの発明に加えて、第１ねじ溝と第２ねじ溝との螺合によって、壁側取り付け部材に対して枠側取り付け部材が前後移動する。
【００３５】
この構成により、螺合により対向距離の調整が容易となる。
【００３６】
本発明の第５の発明に係る建具取り付け用枠材の調整装置では、第１から第４のいずれかの発明に加えて、壁側取り付け部材は、複数の固定孔のそれぞれに接続する外筒を有し、枠側取り付け部材は、外筒と嵌合する第２孔とを有し、第１孔に第１筒部が挿入されると共に第２孔に外筒が挿入されることで、壁側取り付け部材に対して枠側取り付け部材が回転しなくなる
【００３７】
この構成により、壁側取り付け部材と枠側取り付け部材との嵌合の確実性が向上し、枠側取り付け部材がずれにくくなる。
【００３８】
本発明の第６の発明に係る建具取り付け用枠材の調整装置では、第１から第５のいずれかの発明に加えて、座部は、取り付け用枠材に固定可能なねじ孔を有する。
【００３９】
この構成により、枠側取り付け部材が確実に固定される。
【００４０】
本発明の第７の発明に係る建具取り付け用枠材の調整装置では、第１から第６のいずれかの発明に加えて、第１ねじ溝に螺合し貫通孔から挿入されて壁面に対して調整部材を固定する固定部材をさらに備える。
【００４１】
この構成により、調整装置の調整が固定される。
【００４２】
本発明の第８の発明に係る建具取り付け用枠材の調整装置では、第１から第７のいずれかの発明に加えて、壁面に取り付けられた壁側取り付け部材の第１筒部が、取り付け用枠材に取り付けられた枠側取り付け部材の第１孔に挿入され、第１ねじ溝と第２ねじ溝とが螺合することで調整部材が枠側取り付け部材を押さえ、第１ねじ溝と第２ねじ溝との螺合量によって壁側取り付け部材と枠側取り付け部材との対向距離が調整される。
【００４３】
この構成により、壁面と取り付け用枠材との対向距離や角度が容易かつ高い精度で調整できる。
【００４４】
本発明の第９の発明に係る建具取り付け用枠材の調整装置では、第１から第８のいずれかの発明に加えて、貫通孔は、外部から工具を挿入可能であって、工具によって第２筒部が回転されて第１ねじ溝と第２ねじ溝とが螺合する。
【００４５】
この構成により、調整が容易にできる。
【００４６】
本発明の第１１の発明に係る取り付け用枠材の固定方法は、壁面に取り付け可能である壁側取り付け部材と、壁面と対向する取り付け用枠材に取り付け可能であって、壁側取り付け部材と対になる枠側取り付け部材と、壁側取り付け部材と枠側取り付け部材との対向距離を調整する調整部材と、を備える建具取り付け用枠材の調整装置を用いた取り付け用枠材の固定方法であって、壁側取り付け部材、枠側取り付け部材および調整部材同士が組み合わされ、組み合わされた状態で取り付け用枠材に固定され、固定においては、壁側取り付け部材の有する第１筒部が調整部材の有する貫通孔に挿入されると共に、第１筒部に形成された第１ねじ溝と貫通孔に形成された第２ねじ溝とが螺合して壁側取り付け部材と調整部材が枠側取り付け部材を挟んで取り付けられ、調整装置が固定された取り付け用枠材が、壁面に対向するように設置され、取り付け用枠材に挿入した工具により、壁側取り付け部材が壁面に固定され、取り付け用枠材に挿入した工具により、調整部材が動作されて、第１ねじ溝と第２ねじ溝との螺合が進んで、壁側取り付け部材と枠側取り付け部材との対向距離が調整され、整部材における第１ねじ溝に対する第２ねじ溝の回転軸と、固定孔の固定軸とは、異なる位置である。
【００４７】
この構成により、取り付け用枠材と壁面との距離が高い精度で調整されつつ、調整部材の緩みも無く確実な取り付け用枠材の固定が実現される。
【００４８】
本発明の第１２の発明に係る取り付け用枠材の固定方法は、壁面に取り付け可能である壁側取り付け部材と、壁面と対向する取り付け用枠材に取り付け可能であって、壁側取り付け部材と対になる枠側取り付け部材と、壁側取り付け部材と枠側取り付け部材との対向距離を調整する調整部材と、を備える建具取り付け用枠材の調整装置を用いた取り付け用枠材の固定方法であって、壁側取り付け部材が有する複数の固定孔に固定具が装着されることで、壁側取り付け部材が壁面に固定され、枠側取り付け部材が有する座部によって、枠側取り付け部材が取り付け用枠材に固定され、壁側取り付け部材が有する第１筒部が、枠側取り付け部材が有する第１孔に挿入されて壁側取り付け部材に枠側取り付け部材が装着され、第１筒部の外周面および内周面の少なくとも一方に形成される第１ねじ溝に、調整部材が有する貫通孔に形成される第２ねじ溝が螺合し、調整部材が枠側取り付け部材を、壁側取り付け部材に押し付けることで、壁側取り付け部材と枠側取り付け部材との対向距離が調整され、調整部材における第１ねじ溝に対する第２ねじ溝の回転軸と、固定孔の固定軸とは、異なる位置である。
【００４９】
この構成により、取り付け用枠材と壁面との距離が高い精度で調整されつつ、調整部材の緩みも無く確実な取り付け用枠材の固定が実現される。
【００５０】
以下、図面を参照しながら、本発明の実施の形態を説明する。
（実施の形態１）
【００５１】
まず、建具取り付け用枠材の調整装置（以下、「調整装置」という）の全体概要について説明する。
（全体概要）
【００５２】
図１は、本発明の実施の形態１における調整装置の斜視図である。
【００５３】
調整装置１は、壁側取り付け部材２、枠側取り付け部材３および調整部材４の、大きく３つの部材を備えている。なお、これら３つの部材以外の要素や部材が組み合わされることも当然にある。
【００５４】
壁側取り付け部材２と枠側取り付け部材３とは対になって相互に組み合わされ、調整部材４によって取り付け用枠材の固定および取り付け用枠材と壁との距離や位置関係の調整が行われる。すなわち、３つの部材である壁側取り付け部材２、枠側取り付け部材３および調整部材４は、それぞれに異なった役割を有している。
【００５５】
壁側取り付け部材２は、壁において取り付け用枠材と対向する面（以降、「壁面」という）に固定時に接触する座面８と、壁側取り付け部材２を壁面に固定する際のビスやねじを挿入する孔である複数の固定孔５（図１では固定孔５は２つである）と、複数の固定孔５と異なる位置に設けられると共に外周面および内周面の少なくとも一方に第１ねじ溝７を形成した第１筒部６を有する。
【００５６】
図１においては、壁側取り付け部材２は、座面８より３つの筒部が突出している。すなわち、２つの固定孔５に対応して突出する外筒９と第１ねじ溝７を形成した第１筒部６である。外筒９は、必須の構成要件ではないが、壁側取り付け部材２を固定孔５に挿入したビスやねじによって固定する際に、ビスやねじの安定性を高めるメリットを有する。また、枠側取り付け部材３に設けられる第２孔１２に、この外筒９が挿入されることで、壁側取り付け部材２と枠側取り付け部材３との装着が確実になる。
【００５７】
また、図１に示される調整装置１では、壁面の縦方向に沿った略縦方向に、固定孔５と第１筒部６とが並んでいる。このように、縦に固定孔５と第１筒部６とが並ぶことで、調整装置１を、壁面の縦方向に沿って設置しやすい。
【００５８】
枠側取り付け部材３は、壁側取り付け部材２と対になっており、枠側取り付け部材３が壁側取り付け部材２に装着されることで、壁面と取り付け用枠材とが相互に固定されるようになる。
【００５９】
枠側取り付け部材３は、取り付け用枠材に固定可能な座部１０と、第１筒部６が挿入される第１孔１１を有する。座部１０は、ねじ孔１３を備えており、ねじ孔１３にビスやねじが挿入されて、座部１０が取り付け用枠材に固定される（すなわち、枠側取り付け部材３が取り付け用枠材に固定される）。また、枠側取り付け部材３は、壁側取り付け部材２が有する外筒９が挿入される第２孔１２も備える。
【００６０】
図１では、座部１０は、第１孔１１および第２孔１２が並んでいる部分が凹んでいるが、全体として平坦であってもよい。ただし、凹んでいることで、取り付け用枠材に固定する作業と調整作業とが切り分けられてやりやすくなる。
【００６１】
調整部材４は、第１筒部６を内部に挿入可能な貫通孔１６を有すると共に、貫通孔１６の内周面もしくは外周面の少なくとも一方（図１では内周面）に第１ねじ溝７と螺合する第２ねじ溝１７を形成した第２筒部１５を有している。また、調整部材４は、枠側取り付け部材３を壁側取り付け部材２に対して押し付ける座面１８も有している。
【００６２】
調整部材４は、壁側取り付け部材２と枠側取り付け部材３とが相互に装着（嵌めあわされた）後で、第１筒部６と第２筒部１５とが嵌合する（第１ねじ溝７と第２ねじ溝１７とが螺合することで第１筒部６と第２筒部１５とが嵌合する）ことで、壁側取り付け部材２と枠側取り付け部材３との対向距離を調整しつつ、壁側取り付け部材２と枠側取り付け部材３との相互の装着を固定する。
【００６３】
ここで、壁側取り付け部材２の固定孔５は、壁側取り付け部材２を壁面に固定する役割を有し、第１筒部６と第２筒部１５とは、壁面と取り付け用枠材との対向距離を調整する役割を有する。また、固定孔５と第１筒部６との位置が異なるので、第１ねじ溝７と第２ねじ溝１７とが螺合する回転軸と複数の固定孔５に挿入されるビスやねじの回転軸とは異なる位置になる。
【００６４】
すなわち、従来技術の調整装置と異なり、実施の形態１における調整装置１は、壁面への固定と対向距離の調整を異なる位置および異なる回転軸に配置される部材によって実現する。このため、調整装置１の壁面への固定と対向距離の調整とは、それぞれ独立しており、二者択一の関係にならない。結果として、いずれかを優先することでの他方に対する弊害が生じない。すなわち、壁側取り付け部材２は、固定孔５に挿入されたビスやねじで壁面に固定される。これに対して壁側取り付け部材２と枠側取り付け部材３との対向距離の調整は、固定孔５と異なる位置および回転軸である第１筒部６での螺合によって行われる。双方は回転軸が異なるので、いずれかの作業によって他方の取り付けが緩んだり狂ったりすることが生じない。
【００６５】
調整装置１の実際の使用状態を、図２を用いて説明する
【００６６】
図２は、本発明の実施の形態１における調整装置の使用態様を示す説明図である。
【００６７】
図２は、調整装置１が壁２０と取り付け用枠材２１との対向面に設置される状態を示している。壁２０の側面に取り付け用枠材２１が取り付けられる。取り付け用枠材２１には、点線で示すとおり、施工の最終段階でドア２２が取り付けられる。
【００６８】
壁２０は、取り付け用枠材２１を取り付ける壁面２３を有しており、壁面２３は、取り付け用枠材２１と対向する面である。壁２０は、内装工事前には設計・施工が完了しており、取り付け用枠材２１と壁面２３との距離によって、取り付け用枠材２１の位置・角度が調整される。
【００６９】
壁面２３と取り付け用枠材２１との間には、複数の調整装置１が設置され、複数の調整装置１のそれぞれが有する調整部材４は、第１ねじ溝７と第２ねじ溝１７との螺合度合いによって、壁側取り付け部材２と枠側取り付け部材３との距離を増減させる。
【００７０】
まず、壁側取り付け部材２が壁面２３に固定される。壁側取り付け部材２は、座面８を壁面２３に押し付けて、開口している固定孔５のそれぞれに、ビスやねじが挿入されて壁面に固定される。このとき、固定孔５の周囲には、外筒９が設けられているので、ビスやねじの挿入が正確になり、固定が更に容易になる。
【００７１】
次に、取り付け用枠材２１に調整部材４と共に枠側取り付け部材３が固定される。調整部材４を第１孔１１に合わせた状態として枠側取り付け部材３が取り付け用枠材２１に固定される。固定においては、座部１０が取り付け用枠材２１に押し付けられて、ねじ孔１３に挿入されるビスやねじによって固定される。
【００７２】
これらの作業によって、壁側取り付け部材２と枠側取り付け部材３とはそれぞれ独立して別個に取り付けられる。
【００７３】
ついで、壁面２３に固定された壁側取り付け部材２の第１筒部６と枠側取り付け部材３の第１孔とが合わされて嵌めこまれる。取り付け用枠材２１には、調整部材４の貫通孔１６を回転させるための工具を入れる孔が設けられており、作業者は、この孔から工具を挿入して調整部材４を回転させる。調整部材４の回転によって、第１ねじ溝７と第２ねじ溝１７とが螺合する。この螺合によって、壁側取り付け部材２と枠側取り付け部材３との対向距離、すなわち、壁面２３と取り付け用枠材２１との対向距離が決定される。この対向距離の決定によって、調整装置１は、図３に示されるような状態となる。第１ねじ溝７と第２ねじ溝１７とが螺合することで、壁側取り付け部材２に対して、枠側取り付け部材３が前後移動して対向距離が調整される。
【００７４】
ここで、この調整部材４は、座面１８によって枠側取り付け部材３を押さえつけることで、枠側取り付け部材３を壁側取り付け部材２に押し付けてそれぞれの距離を調整する。このとき、外部から挿入された工具によって、調整部材４の第２筒部１５が回転させられるが、この回転における回転軸と、壁側取り付け部材２が固定される固定孔５に挿入されるビスやねじなどの固定具の回転軸とは相違する。このため、調整部材４の回転作業によって壁側取り付け部材２の固定が緩んだり狂ったりすることが生じない。逆に、調整部材４による調整が終了した後で、壁側取り付け部材２の固定が増し締めされたりしても調整部材４による調整がずれたり狂ったりすることもない。
【００７５】
図３は、壁側取り付け部材２に嵌め合わされた枠側取り付け部材３が調整部材４によって調整された状態を示している。図３は、本発明の実施の形態１における調整装置の斜視図である。
【００７６】
調整部材４は、貫通孔１６を有しており、貫通孔１６は、第１筒部６に嵌め込まれる。貫通孔１６の内周面に第２ねじ溝１７が形成されており、第１筒部６の外周面には、第２ねじ溝１７と螺合する第１ねじ溝７が形成されている。貫通孔１６と第１筒部６とが嵌め合わされるときに、第１ねじ溝７と第２ねじ溝１７とが螺合する。この螺合がなされた状態を、図３は示している。
【００７７】
調整装置１は、このような手順で、壁面２３と取り付け用枠材２１との距離、角度を調整する。
【００７８】
図２に示されるように、取り付け用枠材２１には複数の調整装置１が取り付けられるので、複数の調整装置１のそれぞれが生じさせる対向距離の相違によって、壁面２３に対する取り付け用枠材２１の傾きが決定される。この傾きによって、取り付け用枠材２１が、壁面２３の設置状況によらず鉛直に取り付けられることになる。結果として、取り付け用枠材２１に取り付けられるドアや窓は、その開閉に不具合を生じさせない。
【００７９】
なお、調整装置１の個数とそれぞれが生じさせる対向距離との積算で壁面２３に対する取り付け用枠材２１の取り付け角度が調整されるので、適宜調整装置の個数が選択されればよい。
【００８０】
以上のように、実施の形態１における調整装置１は、壁面への固定および対向距離の調整での相互影響を排除した上で、壁面２３に対して適切な角度で取り付け用枠材２１を取り付けることができる。
（調整装置の設置と調整）
【００８１】
次に、調整装置１の設置と調整の詳細を説明する。
【００８２】
図４は、本発明の実施の形態１における調整装置の側面図である。図４は、壁面２３と取り付け用枠材２１とが調整装置１によって取り付けられており、壁側取り付け部材２と枠側取り付け部材３とが所定の対向距離を有している状態を示している。
【００８３】
調整装置１の取り付けについて説明する。壁面２３は、取り付け用枠材２１と対向している。
【００８４】
取り付け用枠材２１には、調整部材４の第２筒部１５が挿入される貫通孔３２と、壁側取り付け部材２の外筒９が挿入される貫通孔３６が設けられている。
【００８５】
まず、壁側取り付け部材２の第１筒部６が枠側取り付け部材３の第１孔１１に挿入され、壁側取り付け部材２の外筒９が枠側取り付け部材３の第２孔１２に挿入されて、壁側取り付け部材２と枠側取り付け部材３とが嵌めあわされる。
【００８６】
次いで、枠側取り付け部材３の第１孔１１を貫通している第１筒部６に、調整部材４を取り付ける。調整部材４は、第２筒部１５を有し、第２筒部１５は内部に第１筒部６を挿入させる貫通孔１６を有している。貫通孔１６の内部は第２ねじ溝１７を有しており、第２ねじ溝１７は、第１筒部６の外周に形成されている第１ねじ溝７と螺合する。この螺合によって、調整部材４と壁側取り付け部材２とが嵌合し、間に枠側取り付け部材３をサンドイッチする。
【００８７】
このように、壁側取り付け部材２、枠側取り付け部材３および調整部材４が合体された状態で、調整装置１は、取り付け用枠材２１に装着される。このとき、取り付け用枠材２１の貫通孔３２、３６に第１筒部６、外筒９とがそれぞれ挿入されて、調整装置１は、取り付け用枠材２１に装着される。このとき、枠側取り付け部材３の座部１０に設けられたねじ孔１３よりねじが挿入されて、取り付け用枠材２１に調整装置１が固定される。
【００８８】
調整装置１が装着された取り付け用枠材２１は（複数の調整装置１が装着されている）、壁面２３に対向して設置される。設置されると、取り付け用枠材２１の外側から、貫通孔３２、３６にそれぞれ工具が挿入されて、壁側取り付け部材２の壁面２３への固定と調整部材４の螺合量の調整とが行なわれる。
【００８９】
例えば、貫通孔３６にねじが挿入されて、外筒９を介して固定孔５から壁面２３にねじが埋め込まれる。ねじの壁面２３への埋め込みによって、壁側取り付け部材２が固定される。
【００９０】
更に、貫通孔３２から六角レンチなどの工具が挿入されて、工具の先端が第２筒部１５の貫通孔１６に嵌合して、調整部材４を回転させる。調整部材４の回転によって、第１ねじ溝７と第２ねじ溝１７とが螺合して、壁側取り付け部材２に対して枠側取り付け部材３を前後移動させる。この前後移動によって、壁側取り付け部材２と枠側取り付け部材３との距離が調整される。すなわち、壁面２３と取り付け用枠材２１との対向距離が調整される。なお、図５に、六角レンチなどの工具を用いて、調整部材４を回転させる状態が示されている。図５に示されるように、六角レンチによって、調整部材４の第２筒部１５が回転させられ、第１ねじ溝７と第２ねじ溝１７とが螺合する。この螺合によって、壁側取り付け部材２と枠側取り付け部材３との対向距離が調整される。
【００９１】
・    図５は、本発明の実施の形態１における調整装置の調整作業を示す模式図である。なお、図５は、見易さのために取り付け用枠材２１を省いた状態を示している。実際には、取り付け用枠材２１に装着された調整部材４に対する作業が行われる。
【００９２】
調整作業が終了すると、図６のような状態となる。
【００９３】
図６は、本発明の実施の形態１における装着された調整装置の側面図である。
【００９４】
図６から明らかな通り、調整装置１は、壁面２３と取り付け用枠材２１との間に装着され、壁面２３と取り付け用枠材２１との対向距離を調整している。この対向距離によって、壁面２３に対して、取り付け用枠材２１の位置や角度が調整されている。
【００９５】
あるいは、調整装置１は、次のような手順で取り付けられてもよい。
【００９６】
壁面２３には、壁側取り付け部材２が取り付けられる。図４では図示していないが、壁側取り付け部材２の座部８が有する複数の固定孔５にねじ３０が挿入されて、壁側取り付け部材２が壁面２３に固定される。このとき固定孔５は、周囲に外筒９を有し、外筒９によってねじ３０の挿入が安定される。
【００９７】
ねじ３０は、外筒９を通じて固定孔５に挿入され、外筒９に工具（ドライバーなど）が挿入されて、この工具によってねじ３０が壁面２３に埋没するようになる。ここで、壁側取り付け部材２は、ねじ３０によって壁面２３に完全に固定される。また、固定孔５が複数であることで、壁側取り付け部材２が壁面２３に対して回転したりすることもなく、固定が緩むこともない。
【００９８】
次に、枠側取り付け部材３の第１孔１１に調整部材４が取り付けられた状態で枠側取り付け部材３が取り付け用枠材２１に固定される。
【００９９】
枠側取り付け部材３は、座部１０を有しており、座部１０が備えるねじ孔１３にねじ３１が挿入されて固定される。ねじ３１は、ドライバーなどの工具によって回転させられて、取り付け用枠材２１に埋没して固定される。
【０１００】
また、取り付け用枠材２１には、予め調整部材４を挿入する貫通孔３２が設けられており、調整部材４は、枠側取り付け部材３の取り付け用枠材２１への固定の際に、この貫通孔３２に挿入される。この結果、調整部材４は、貫通孔３２によって、取り付け用枠材２１の外部から操作可能となる。
【０１０１】
枠側取り付け部材３も複数のねじ孔１３に挿入されるねじ３１によって固定されるので、枠側取り付け部材３は、取り付け用枠材２１に対して回転したり緩んだりすること無く固定される。また、固定時には、仮固定などは必要でなく最初から確実に固定されればよい。
【０１０２】
次に、枠側取り付け部材３が壁側取り付け部材２に装着される。装着においては、枠側取り付け部材３の第１孔１１に壁側取り付け部材２の第１筒部６が挿入されると共に、枠側取り付け部材３の第２孔１２に壁側取り付け部材２の外筒９が挿入される。図１の調整装置１が用いられるとすると、壁側取り付け部材２と枠側取り付け部材３とは、３箇所の嵌合によって相互に装着される。特に、３箇所の嵌合位置（第１孔１１と第２孔１２の位置）が略直線状に並ぶことで、壁側取り付け部材２と枠側取り付け部材３とが相互に回転せずに安定する。
【０１０３】
なお、外筒９と第２孔１２とが嵌合することで、第１筒部６と第１孔５とが嵌合するだけよりも、壁側取り付け部材２と枠側取り付け部材３との相互関係が安定するが、外筒９と第２孔１２とは、必須の構成要件ではない。枠側取り付け部材３そのものは、取り付け用枠材２１にねじ３１で固定されているからである。
【０１０４】
壁面２３に固定された壁側取り付け部材２と取り付け用枠材２１に固定された枠側取り付け部材３とが嵌合されると、次に調整部材４によって、壁側取り付け部材２と枠側取り付け部材３との対向距離が調整されると共に相互に固定される。
【０１０５】
壁側取り付け部材２と枠側取り付け部材３とは、突出部（第１筒部６と外筒９）と孔（第１孔１１と第２孔１２）との嵌合のみで装着されているだけなので、なんらの固定もされていない状態である。ここで、調整部材４の貫通孔１６と第１筒部６とがねじ溝の螺合によって固定されることで、調整部材４は、枠側取り付け部材３を壁側取り付け部材２と共にサンドイッチして装着状態を固定する。調整部材４は、座面１８を有しており、この座面１８が枠側取り付け部材３を壁側取り付け部材２に対して押し付ける。この結果、枠側取り付け部材３は壁側取り付け部材２から外れてしまうことが無くなるようになる。
【０１０６】
調整部材４は、貫通孔１６を有する第２筒部１５を有し、この貫通孔１６の内周面に第２ねじ溝１７を形成する。第１筒部６は、その外周面に第１ねじ溝７を形成し、第１ねじ溝７と第２ねじ溝１７とは相互に螺合する。この螺合によって、壁側取り付け部材２に対して枠側取り付け部材３は前後移動する。この前後移動によって、壁側取り付け部材２と枠側取り付け部材３との対向距離が調整される。
【０１０７】
具体的には、貫通孔３２に工具が挿入される。工具は例えば六角レンチである。
【０１０８】
貫通孔３２に挿入された六角レンチは、調整部材４の貫通孔１６に嵌合して、第２筒部１５を回転させる。第２筒部１５の回転によって、第１ねじ溝７と第２ねじ溝１７とが螺合する。螺合が進むことで、壁側取り付け部材２に対して枠側取り付け部材３が前後移動する。作業者は、このように取り付け用枠材２１の外部から調整装置１の調整作業を行うことができる。この六角レンチによる第２筒部１５の回転作業によっては、壁側取り付け部材２の固定が影響を受けることはない。それぞれの回転軸が相違するからである。
【０１０９】
図５に、六角レンチによる作業状態が示される。
【０１１０】
作業者は、六角レンチ３５を第２筒部１５の貫通孔１６に挿入させる。六角レンチ３５は、予め貫通孔１６の内径に嵌合するサイズと形状を有しているものが選択される。選択された六角レンチ３５を作業者は回転させる。この回転で第２筒部１５が回転し、第１筒部６と第２筒部１５との螺合が進んで、壁側取り付け部材２に対して枠側取り付け部材３が前後移動する。
【０１１１】
作業者は、前後移動量を見ながら六角レンチ３５の回転を調整する。目標の対向距離となったら、六角レンチ３５による回転を停止させ、調整作業を終了させる。
【０１１２】
この調整装置１の取り付け方法であっても、前者の方法と同様に、調整作業が終了すると、図６のような状態となる。
【０１１３】
以上のように、調整装置１は、予め全ての部材が組み合わされてから、取り付け用枠材２１に装着され、その後で、壁面２３への固定と壁面２３と取り付け用枠材２１との対向距離の調整が行われる。あるいは、調整装置１は、壁側取り付け部材２が壁面２３に固定され、ついで枠側取り付け部材３と調整部材４とが取り付け用枠材２１に固定され、その後で、壁側取り付け部材２と枠側取り付け部材３とが嵌め合わされて、調整部材４による調整が行われる。
【０１１４】
いずれの取り付け方法で取り付けられてもよい。
【０１１５】
また、図２に示されるように複数の調整装置１が取り付けられることで、壁面２３に対して取り付けられる取り付け用枠材２１の角度が適切に調整できる。例えば、図２において、取り付け用枠材２１の上部に設置された調整装置１における対向距離が、取り付け用枠材２１の下部に設置された調整装置１における対向距離よりも大きい場合には、壁面２３に対して取り付け用枠材２１が斜めに取り付けられるようになる。
【０１１６】
壁面２３が斜めになってしまっており、これにあわせて取り付け用枠材２１を斜めに取り付けることで、取り付け用枠材２１が床面に対して垂直となるような場合には、上述のような調整は有効である。
【０１１７】
次に、各部の詳細について説明する。
（壁側取り付け部材）
【０１１８】
壁側取り付け部材２は、壁面２３に固定するための固定具を挿入させる複数の固定孔５と、複数の固定孔５と異なる位置に設けられると共に外周面および内周面の少なくとも一方に第１ねじ溝７を形成した第１筒部６を備える。第１筒部６は、後述の枠側取り付け部材３と相互に装着される際の部材となる。第１ねじ溝７は、他のねじ溝と螺合する形状や構造を有しておればよく、ピッチや溝深さは適宜定められればよい。
【０１１９】
また、第１筒部６の底面となって、壁面２３に接触する座面８を有する。座面８は、壁側取り付け部材２の壁面２３への取り付けの圧力を強化する。
【０１２０】
また、座面８では、固定孔５に対応する位置に外筒９がもうけられる。外筒９は、固定孔５へ挿入されるビスやねじの安定を高めるとともに、枠側取り付け部材３の第２孔１２に挿入されて、壁側取り付け部材２と枠側取り付け部材３との嵌合を安定させる。外筒９は、固定孔５と同様に複数であるので、壁側取り付け部材２からの突出部である複数の外筒９と枠側取り付け部材３の複数の第２孔１２とが嵌めあわされることで、壁側取り付け部材２と枠側取り付け部材３とが相互に回転したりしなくなる。すなわち、相互の安定性が向上する。
【０１２１】
なお、固定孔５および外筒９のいずれかが単数であっても、第１筒部６も座面８より突出しているので、第１筒部６も含めた壁側取り付け部材２と枠側取り付け部材３との嵌め合わせによって、壁側取り付け部材２と枠側取り付け部材３とが相互に回転したりしなくなる。
【０１２２】
なお、図１では、略一列に外筒９（固定孔５）と第１筒部６とが並んでいるが、一列でなくともよい。また、２つの外筒９（固定孔５）が第１筒部６を挟んだ状態で整列しているが、この通りの順番でなくともよい。
【０１２３】
壁側取り付け部材２は、金属、木材、樹脂、合金などのさまざまな素材によって形成されればよい。また、金型、鋳物、削り出しなどの種々の工程で製造されればよい。
【０１２４】
壁側取り付け部材２は、突出部である第１筒部６および外筒９からなる要素と、固定孔５を有する座面８からなる要素との、大きく２つの要素を備えているが、これら２つの要素は別体で形成されてから接着や溶接によって一体化されてもよいし、最初から一体で形成されてもよい。ただし、耐久性の観点から一体で形成されることが好ましい。
【０１２５】
第１ねじ溝７は、第１筒部６の外周面に形成される。第１ねじ溝７は、第２ねじ溝１７と螺合するような形状を有している。第１ねじ溝７は、第１筒部６にレーザーや切削器具によって切削されて形成されてもよいし、第１筒部６が形成されると同時に第１ねじ溝７が形成されてもよい。
【０１２６】
第１筒部６は、第２筒部１５との螺合を受ける部材であるので、第１筒部６は座面８に対して回転する必要はない。
（枠側取り付け部材）
【０１２７】
次に枠側取り付け部材３について説明する。
【０１２８】
枠側取り付け部材３は、壁側取り付け部材２と対になる部材である。壁側取り付け部材２に枠側取り付け部材３が嵌め込まれて、調整部材４によって相互の対向距離が調整される。
【０１２９】
枠側取り付け部材３は、取り付け用枠材２１に固定可能な座部１０と、第１筒部６が挿入される第１孔１１を備える。更に、座部１０は、取り付け用枠材２１に固定するためのビスやねじを挿入するねじ孔１３を有している。加えて、外筒９が挿入される第２孔１２も備えている。第２孔１２は、外筒９の個数と同数以上設けられる。
【０１３０】
枠側取り付け部材３は、壁側取り付け部材２と嵌め合わされて相互の距離（これが、壁面２３と取り付け用枠材２１との対向距離を決定する）を調整する。ただし、対向距離の調整は、枠側取り付け部材３が行うのではなく、調整部材４が行う。枠側取り付け部材３は、固定されない状態で壁側取り付け部材２に嵌め合わされるに過ぎない。
【０１３１】
枠側取り付け部材３は、ねじ孔１３に挿入されたビスやねじによって取り付け用枠材２１に固定される。固定される際に、取り付け用枠材２１に設けられた貫通孔３２に調整部材４が挿入されており、枠側取り付け部材３は、調整部材４とあわせて取り付け用枠材２１に固定される。
【０１３２】
図１では、枠側取り付け部材３は、第１孔１１と第２孔１２とが設けられる領域で凹んでおり、周囲が盛り上がっているが、この通りの形状でなく平坦状態でもよい。ただし、図１のように第１孔１１と第２孔１２とが設けられる領域で凹んでいることで、壁側取り付け部材２との嵌め合わせが容易となる。特に、取り付け用枠材２１に取り付けられるときに、座部１０のみが取り付け用枠材２１に接触し、第１孔１１や第２孔１２の領域は離隔するので、調整部材４のはめ込みを行いやすくなる。
【０１３３】
枠側取り付け部材３は、金属、樹脂、木材、合金、あるいはこれら素材の組み合わせで形成される。枠側取り付け部材３は、金属板をプレスで型抜きして形成してもよいし、金型や鋳型で形成してもよい。なお、枠側取り付け部材３と壁側取り付け部材２との素材や製造工程が異なってもよい。
【０１３４】
図７は、枠側取り付け部材３が取り付け用枠材２１に固定された状態を示している。図７は、本発明の実施の形態１における取り付け用枠材の斜視図である。
【０１３５】
図７より明らかな通り、取り付け用枠材２１に設けられた貫通孔３２に枠側取り付け部材３が挿入される。挿入された取り付け用枠材３は、座部１０に設けられたねじ孔１３よりビスやねじが挿入されて、これらビスやねじの固定によって、枠側取り付け部材３が取り付け用枠材２１に固定される。図７では、枠側取り付け部材３が取り付け用枠材２１に取り付けられた裏面側（壁面と接する側）が見えている。
【０１３６】
このとき、枠側取り付け部材３の固定点および固定のための回転軸は、壁側取り付け部材２における場合と異なるので、枠側取り付け部材３の固定を確実に行っても、壁側取り付け部材２の固定がずれることはない。
（調整部材）
【０１３７】
次に、調整部材について説明する。
【０１３８】
調整部材４は、嵌め合わされた壁側取り付け部材２と枠側取り付け部材３との距離を調整しつつ嵌めあわせを固定する。
【０１３９】
調整部材４は、座面１８と第２筒部１５の大きく二つの要素で構成される。
【０１４０】
座面１８は、第２筒部１５が第１筒部６に螺合する際に枠側取り付け部材３を壁側取り付け部材２に押し付ける。この押し付けによって、枠側取り付け部材３が壁側取り付け部材２に固定される。
【０１４１】
第２筒部１５は、貫通孔１６を有し、この貫通孔１６は、その内周面および外周面の少なくとも一方に第２ねじ溝１７を形成し、第２ねじ溝１７は、第１ねじ溝７と螺合する。この螺合によって、第１筒部６と第２筒部１５とが嵌合して、調整部材４は、枠側取り付け部材３を壁側取り付け部材に押し付けるように作用する。
【０１４２】
第１ねじ溝７と第２ねじ溝１７との螺合によって、第１筒部６に対して第２筒部１５が（すなわち、壁側取り付け部材２に対して枠側取り付け部材３が）前後移動する。この前後移動によって、結果的には壁面２３と取り付け用枠材２１との対向距離が調整される。
【０１４３】
このとき、調整部材４の回転軸は、壁側取り付け部材２の固定位置とも枠側取り付け部材３の固定位置とも相違するので、調整部材４の回転によって壁側取り付け部材２の固定や枠側取り付け部材３の固定がずれたり緩んだりすることはない。すなわち、調整部材による壁面２３と取り付け用枠材との対向距離の調整が完了すれば、調整装置１の取り付けは完了することになる。
【０１４４】
調整部材４は、壁側取り付け部材２や枠側取り付け部材３と同様に、プレスや金型・鋳型で形成されればよい。また、調整部材４は、枠側取り付け部材３と一体に組み立てられたものでも良い。
【０１４５】
調整部材４は、枠側取り付け部材３の第１孔１１に対応する位置に設定された上で、枠側取り付け部材３と共に取り付け用枠材２１に設置される。調整部材４は、取り付け用枠材２１において壁面２３と対向する面と逆側の面（すなわち、建具が取り付けられる方向の面）より調整される。調整においては、取り付け用枠材２１の貫通孔３２へ、六角レンチをはじめとする工具が挿入される。次いで、工具が第２筒部１５の貫通孔１６に嵌合されて、第２筒部１５が回転させられて、調整部材４が壁側取り付け部材２と枠側取り付け部材３との距離を調整する。
【０１４６】
図８は、調整部材４を調整する方向から取り付け用枠材３を見た状態を示している。図８は、本発明の実施の形態１における取り付け用枠材の斜視図である。
【０１４７】
図８では、工具を示していないが、貫通孔３２から工具が挿入されて、調整部材４が回転させられる。
【０１４８】
取り付け用枠材２１は、調整部材４が挿入される貫通孔３２と、壁側取り付け部材２を固定する固定孔５にビスやねじを挿入させる貫通孔３６とが予め形成されている。貫通孔３２には、調整部材４が挿入される。貫通孔３６には、外筒９が挿入される（外筒９がなければ、固定孔５に貫通孔３６が対向する）。
【０１４９】
貫通孔３６にビスやねじが挿入され、貫通孔３６からドライバーなどの工具が挿し込まれて、ビスやねじが回転させられて壁側取り付け部材２が壁面２３に固定される。
【０１５０】
一方、貫通孔３２には六角レンチなどの工具が挿し込まれて調整部材４が回転させられて、調整部材４の前後移動によって、壁面２３と取り付け用枠材３との対向距離が調整される。
【０１５１】
以上のように、調整部材４は、取り付け用枠材２１の外部から制御される。
【０１５２】
なお、壁側取り付け部材２、枠側取り付け部材３および調整部材４のそれぞれは、金属、合金、樹脂、木材など種々の素材で形成されればよく、金属と樹脂との部分が交じり合っている状態で形成されてもよい。
【０１５３】
以上のように、実施の形態１における調整装置は、壁側取り付け部材２や枠側取り付け部材３の固定と、調整部材４による調整とが独立して行われるので、相互の影響なく、確実かつ精度の高い壁面２３と取り付け用枠材２１との対向距離の調整ができる。
（実施の形態２）
【０１５４】
次に実施の形態２について説明する。
【０１５５】
実施の形態２では、調整部材４によって調整された対向距離を固定するために、固定部材を用いる場合について説明する。
【０１５６】
図９は、本発明の実施の形態２における調整装置の斜視図である。図９は、壁側取り付け部材２、枠側取り付け部材３および調整部材４に、固定部材４０を更に備える調整装置１を示している。
【０１５７】
調整部材４は、相互に嵌め合わされた壁側取り付け部材２の第１筒部６と枠側取り付け部材３の第１孔１１との相互関係を調整する。調整部材４の有する第２筒部１５と壁側取り付け部材２の第１筒部６とが螺合することで、壁側取り付け部材２と枠側取り付け部材３との距離が調整される。結果として、壁面２３と取り付け用枠材２１との対向距離が調整される。
【０１５８】
ここで、枠側取り付け部材３は、調整部材４によって、壁側取り付け部材２に対して押し付けられている。この押し付けによって、壁側取り付け部材２と枠側取り付け部材３との距離が調整される。
【０１５９】
調整部材４は、貫通孔１６を有する第２筒部１５が、第２ねじ溝１７によって第１筒部６と螺合しているだけであるので、取り付け用枠材２１への衝撃や加圧によって回転が生じることもありうる。このように、不用意に調整部材４が回転してしまうと、調整量が狂ってしまうことになりうる。特に、取り付け用枠材２１には、外部から工具を挿入できるように、調整部材４に対応した貫通孔３２が設けられている。この貫通孔３２を通じて、調整部材４が不用意に回転する可能性も否定できない。
【０１６０】
固定部材４０は、ねじなどの部材であって、所定の径を有して外周に第３ねじ溝４１を形成している。調整部材４の第２筒部１５の有する貫通孔１６の内径が、固定部材４０の径よりも大きく、壁側取り付け部材２の第１筒部６が、貫通孔３８を有する場合における固定部材４０による固定方法を説明する。なお、固定部材４０の径とは、第３ねじ溝４１が形成されている本体部分の径を指す。
【０１６１】
固定部材４０は、調整部材４の貫通孔１６より挿入されて更に壁側取り付け部材２の第１筒部５の内部に設けられた貫通孔３８に挿入されて、調整装置１を固定する。
【０１６２】
第１筒部６は、貫通孔３８を有している。貫通孔３８は、内面に第４ねじ溝３９を有している。この第４ねじ溝３９は、固定部材４０の外周に形成されている第３ねじ溝４１と螺合する。
【０１６３】
この螺合によって、固定部材４０は、調整部材４、壁側取り付け部材２とを連続的に固定する。
【０１６４】
固定部材４０が、第１筒部５の貫通孔３８内部と螺合することで、壁側取り付け部材２と壁側取り付け部材２と螺合している調整部材４とが、取り付け用枠材２１側に引き付けられる。この引き付けによって、調整部材４の座面１８と取り付け用枠材２１の接触面に圧力が加わる。この圧力は、調整部材４を取り付け用枠材２１に押し付ける力を発揮する。また、第１ねじ溝７と第２ねじ溝１７との螺合における接触面にも圧力が加わる。この圧力は、調整部材４の回転方向に対する圧力にもなる。
【０１６５】
この調整部材４を取り付け用枠材２１に押し付ける圧力によって、調整部材４は、取り付け用枠材２１に対して強い力で固定されることになり、不用意に回転することがなくなる。また、第１ねじ溝７と第２ねじ溝１７との接触における摩擦力が強まることで、調整部材４の固定が高まる。これらの結果、調整部材４の固定が確実となって、緩んだりすることもない。すなわち、固定部材４０による圧力は、壁側取り付け部材２を介して調整部材４に伝わって、調整部材４の固定力を高める。
・    
【０１６６】
図１０は、貫通孔１６に固定部材４０が挿入された状態を示している。
【０１６７】
図１０は、本発明の実施の形態２における調整装置の斜視図である。
【０１６８】
固定部材４０が第２筒部１５に挿入されており、第２筒部１５の内部貫通孔１６は露出しなくなる。また、調整部材４が取り付け用枠材２１に対して不用意に回転したり緩んだりすることが著しく減少する。
【０１６９】
加えて、固定部材４０が壁側取り付け部材２の第１筒部６を貫通して壁面２３に到達することで、調整装置１全体が固定される。すなわち、壁側取り付け部材２、枠側取り付け部材３と調整部材４とが固定部材４０によって貫通されるので、調整部材１全体が一体となって固定部材４０によって固定される。
【０１７０】
図１１は、本発明の実施の形態２における取り付け用枠材の側断面図である。図１１は、取り付け用枠材２１に装着された調整装置１に、固定部材４０が貫通されている状態を示している。固定部材４０は、第３ねじ溝４１を有するねじやビスであって、第２筒部１５の貫通孔１６を通じて、内部に挿入される。また、第１筒部６の貫通孔３８を有する場合には、この貫通孔をも貫いて、壁側取り付け部材２の座面８をも貫いて壁面２３に固定部材４０が到達する。固定部材４０が壁面２３に到達すると、調整部材１が取り付け用枠材２１と壁面２３との間で固定されやすくなる。
【０１７１】
以上のように、実施の形態２における調整装置１は、壁面と取り付け用枠材２１との対向距離を調整したあとでも、緩んだりずれたりすることが事後的に発生しにくい。
（実施の形態３）
【０１７２】
次に、実施の形態３について説明する。
【０１７３】
実施の形態３では、実施の形態１、２で説明した調整装置を用いた取り付け用枠材の固定方法について説明する。
【０１７４】
調整装置１は、実施の形態１、２で説明した装置であり、壁側取り付け部材２、枠側取り付け部材３、調整部材４を備え、必要に応じて固定部材４０を備える。実施の形態１，２で説明したとおり、（１）壁側固定部材２の壁面２３に対する固定の位置および固定の回転軸、（２）枠側取り付け部材３の取り付け用枠材２１に対する固定の位置および固定の回転軸、（３）調整部材４による調整の際の位置および回転軸、のそれぞれは異なる。このため壁側取り付け部材２の固定、枠側取り付け部材３の固定、調整部材４による調整のいずれをどのような順序で行なっても、いずれかの作業が他の作業や作業結果に影響を与えない利点を有している。
（固定方法その１）
【０１７５】
まず、取り付け用枠材の固定方法のその１について説明する。
【０１７６】
固定方法その１は、壁側取り付け部材２、枠側取り付け部材３、調整部材４を全て取り付け用枠材２１に取り付けてから、壁面２３に調整装置１を取り付ける固定方法である。
【０１７７】
図１２を用いて、固定方法その１について説明する。
【０１７８】
図１２は、本発明の実施の形態３における取り付け用枠材の固定を示す説明図である。図１２は、取り付けられる調整装置１が見えるように、取り付け用枠材の内部を可視状態として示している。
【０１７９】
取り付け用枠材２１には、調整部材４の第２筒部１５が挿入される貫通孔３２と、壁側取り付け部材２の外筒９が挿入される貫通孔３６が設けられている。
【０１８０】
まず、壁側取り付け部材２の第１筒部６が枠側取り付け部材３の第１孔１１に挿入され、壁側取り付け部材２の外筒９が枠側取り付け部材３の第２孔１２に挿入されて、壁側取り付け部材２と枠側取り付け部材３とが嵌めあわされる。
【０１８１】
次いで、枠側取り付け部材３の第１孔１１を貫通している第１筒部６に、調整部材４を取り付ける。調整部材４は、第２筒部１５を有し、第２筒部１５は内部に第１筒部６を挿入させる貫通孔１６を有している。貫通孔１６の内部は第２ねじ溝１７を有しており、第２ねじ溝１７は、第１筒部６の外周に形成されている第１ねじ溝７と螺合する。この螺合によって、調整部材４と壁側取り付け部材２とが嵌合し、間に枠側取り付け部材３をサンドイッチする。
【０１８２】
このように、壁側取り付け部材２、枠側取り付け部材３および調整部材４が合体された状態で、調整装置１は、取り付け用枠材２１に装着される。このとき、取り付け用枠材２１の貫通孔３２、３６に第１筒部６、外筒９とがそれぞれ挿入されて、調整装置１は、取り付け用枠材２１に装着される。このとき、枠側取り付け部材３の座部１０に設けられたねじ孔１３よりねじが挿入されて、取り付け用枠材２１に調整装置１が固定される。
【０１８３】
調整装置１が装着された取り付け用枠材２１は（複数の調整装置１が装着されている）、壁面２３に対向して設置される。設置されると、取り付け用枠材２１の外側から、貫通孔３２、３６にそれぞれ工具が挿入されて、壁側取り付け部材２の壁面２３への固定と調整部材４の螺合量の調整とが行なわれる。
【０１８４】
すなわち、図１２に示されるように、貫通孔３６からねじ５０が挿入される。ねじ５０は、外筒９の内部に挿入されて、固定孔５に到達する。ねじ５０は、ドライバーなどで回転させられて、壁面２３に埋まり、壁側取り付け部材２を固定する。壁側取り付け部材２が固定されて、調整装置１は、壁面２３と取り付け用枠材２１とを結合させることができる。
【０１８５】
更に、貫通孔３２から六角レンチなどの工具５１が挿入されて、工具の先端が第２筒部１５の貫通孔１６に嵌合して、調整部材４を回転させる。調整部材４の回転によって、第１ねじ溝７と第２ねじ溝１７とが螺合して、壁側取り付け部材２に対して枠側取り付け部材３を前後移動させる。この前後移動によって、壁側取り付け部材２と枠側取り付け部材３との距離が調整される。すなわち、壁面２３と取り付け用枠材２１との対向距離が調整される。
【０１８６】
以上のように、調整装置１を全て固定して装着した後で、壁面２３と取り付け用枠材２１との対向距離を調整することもできる。
（固定方法その２）
【０１８７】
次に、固定方法その２について説明する。固定方法その２は、壁側取り付け部材２が壁面２３に固定されてから、残りの部材が取り付けられつつ取り付け用枠材２１が壁面２３に固定される固定方法である。
【０１８８】
図１３は、本発明の実施の形態３における取り付け用枠材の固定を示す説明図である。図１３は、壁面２３と取り付け用枠材２１との間に、調整装置１が取り付けられている構造を見えるように示している。図１３は、固定方法その２で固定された状態を示している。
【０１８９】
まず、壁側取り付け部材２は、壁面２３の所定の位置に設定される。所定の位置に設定された壁側取り付け部材２の座面８の固定孔５にねじ３０が挿入される。ねじ３０は、ドライバーなどで壁面２３に押し込まれて壁側取り付け部材２は、壁面２３に固定される。このとき、壁側取り付け部材２は、確実に固定される。
【０１９０】
次に、調整部材４が枠側取り付け部材３の第１孔１１に対応する位置に設置されて、取り付け用枠材２１の壁面側に設定される。すなわち、枠側取り付け部材３が調整部材４を取り付け用枠材２１に押し付ける。調整部材４は、枠側取り付け部材３と取り付け用枠材２１とにサンドイッチされる。このとき、取り付け用枠材２１に貫通孔３２が設けられており、調整部材４は、この貫通孔３２に挿入される。このため、まず取り付け用枠材２１の貫通孔３２に調整部材４が挿入されて、その後に調整部材４の上から枠側取り付け部材３が取り付け用枠材２１に押し当てられることでもよい。
【０１９１】
次いで、取り付け用枠材２１に設定された枠側取り付け部材３は、座部１０に設けられているねじ孔１３に挿入されたねじ３１によって取り付け用枠材２１に固定される。ねじ３１ではなく、釘やビスなどで固定されても良い。この固定によって、枠側取り付け部材３と調整部材４とが、取り付け用枠材２１に固定される。固定においては、十分かつ確実に固定される。
【０１９２】
次に、取り付け用枠材２１が壁面２３に対向するように設定され、壁側取り付け部材２の有する第１筒部６は、枠側取り付け部材３の第１孔１１に挿入される。この結果、第１筒部６と第１孔１１とが嵌め合わされて、壁側取り付け部材２と枠側取り付け部材３とが嵌めあわされる。
【０１９３】
第１筒部６は、調整部材４の第２筒部１５が有する貫通孔１６に挿入される。ここで、取り付け用枠材２１の外部から貫通孔３２を通じて六角レンチを始めとする工具が挿入される。工具は、貫通孔３２から第２筒部１５の貫通孔１６に嵌合して、調整部材４を回転させる。調整部材４の回転において、第１筒部６の第１ねじ溝７と貫通孔１６の第２ねじ溝１７とが螺合する。この螺合によって、第１筒部６は、第２筒部１５の内部の貫通孔１６に挿入される。結果として、壁側取り付け部材２と枠側取り付け部材３との対向距離が縮まる。すなわち、壁側取り付け部材２に対して枠側取り付け部材３が前後移動する。
【０１９４】
対向距離が縮まると、壁面２３と取り付け用枠材２１との対向距離も縮まっていく。所望の対向距離になったところで、調整部材４の回転を停止させる。
【０１９５】
取り付け用枠材２１に取り付けられた複数の調整装置１の、全ての調整が終了することで、取り付け用枠材２１の壁面２３への位置、角度の調整が完了する。
【０１９６】
また、調整部材４の回転における回転軸は、壁側取り付け部材２１の固定軸や枠側取り付け部材３の固定軸とは異なる位置なので、調整部材４の回転によって壁側取り付け部材２や枠側取り付け部材３の固定が緩んだりずれたりすることもない。このように、調整装置１は、固定や調整のそれぞれの作業によって、相互に悪影響を与えることはなく、確実かつ高い精度での取り付け用枠材の調整が可能となる。
【０１９７】
次に、複数の調整装置１が取り付けられる際の従来技術に対するメリットについて説明する。
【０１９８】
図１４は、本発明の実施の形態３における壁面に取り付けられた取り付け用枠材の側面図である。
【０１９９】
図１４の左側には、従来技術における調整装置が取り付けられた取り付け用枠材の固定状態が示されており、図１４の右側には、本発明の調整装置が取り付けられた取り付け用枠材の固定状態が示されている。
【０２００】
床や壁の施工状態によっては、調整装置を壁面２３に垂直に固定しつつ、取り付け用枠材２１は、壁面２３に対して斜めに設置しなければならない場合もある。例えば、水平面に対して壁の取り付けが斜めになってしまっており、斜めになっている壁面２３に対して取り付け用枠材２１を斜めに取り付けることで、取り付け用枠材２１（取り付け用枠材２１には、ドアや窓が取り付けられる）が水平面に対して垂直とされることがある。
【０２０１】
図１４はこのような状態を示している。
【０２０２】
従来技術における調整装置６０は、壁面２３への固定と壁側取り付け部材と枠側取り付け部材との調整のための動作軸（回転軸）が同一軸である。調整装置６０は、壁面２３に対して垂直に固定される。このとき、枠側取り付け部材の座部は、壁面２３に対して垂直となってしまうので、斜めに取り付けられた取り付け用枠材２１に対して、座部が面接触できない。枠側取り付け部材は、壁面２３に垂直に固定された壁側取り付け部材に合わせて、壁面２３に対して垂直にしか取り付けられないからである。枠側取り付け部材は、壁側取り付け部材との螺合によって、壁面２３と取り付け用枠材２１との対向距離を調整するが、壁側取り付け部材の固定と対向距離の調整とが同じ回転軸で行われるので、枠側取り付け部材の取り付けは、壁面２３を基準とすることになるからである。
【０２０３】
図１４の左側に示すように、座部は、壁面２３に水平であって、取り付け用枠材２１に対しては斜めの関係で固定される。このため、座部の上側の端部は、取り付け用枠材２１に接触するが、下側の端部は、取り付け用枠材２１から離隔した状態となる。このため、座部が取り付け用枠材２１に対して安定せず、取り付け用枠材２１に凹みが生じたり、座部が動いて、調整された対向距離がずれたり緩んだりすることも生じうる。このような事態が生じると、取り付け用枠材２１の固定が不十分となり、長期住宅などにおいてはデメリットとなる。
【０２０４】
これに対して、本発明の調整装置１は、枠側取り付け部材３の座部の固定（すなわち、壁側取り付け部材２に対する枠側取り付け部材３の取り付けや調整）は、壁側取り付け部材２の壁面２３への固定とは独立している。これは図１からも明らかな通りである。言い換えると、枠側取り付け部材３は、壁側取り付け部材２に嵌め合わされているだけで、調整部材４によっても壁側取り付け部材２に枠側取り付け部材３が固定されることは生じない。
【０２０５】
以上のことから、図１４の右側に示されるように、本発明の調整装置１は、枠側取り付け部材３の座部１０は、壁面２３の角度に関係なく、取り付け用枠材２１の角度にあわせて固定される。このため、座部１０は、壁面２３に対して斜めになっている取り付け用枠材２１の面にそって、面接触する。この面接触によって、座部１０は、取り付け用枠材２１の面に平均的に圧力を掛けることとなって、取り付け用枠材２１の一部に凹みを生じさせたり、取り付け用枠材２１に対して不用意に回転したり緩んだりしたりすることがない。
【０２０６】
結果として、取り付け用枠材２１の取り付けの耐久性が高く、長期住宅などに必要となる耐久性や長寿命化を実現させる。
【０２０７】
このように、（１）壁側固定部材２の壁面２３に対する固定の位置および固定の回転軸、（２）枠側取り付け部材３の取り付け用枠材２１に対する固定の位置および固定の回転軸、（３）調整部材４による調整の際の位置および回転軸、のそれぞれは異なることで、取り付け用枠材２１の取り付けの耐久性が向上し、住宅や商業ビルの耐久性向上にもつながって、ランニングコストを低減させることができる。
【０２０８】
実施の形態１、２では、調整装置１について説明したが、調整装置１が取り付けられた取り付け用枠材が、流通されてもよい。すなわち、本発明の調整装置は、調整装置のみで流通されてもよいし、調整装置が取り付けられた取り付け用枠材として流通されてもよい。
【０２０９】
なお、実施の形態１〜３で説明された取り付け用枠材の調整装置、取り付け用枠材の固定方法は、本発明の趣旨を説明する一例であり、本発明の趣旨を逸脱しない範囲での変形や改造を含む。
【図面の簡単な説明】
【０２１０】
【図１】本発明の実施の形態１における調整装置の斜視図である。
【図２】本発明の実施の形態１における調整装置の使用態様を示す説明図である。
【図３】本発明の実施の形態１における調整装置の斜視図である。
【図４】本発明の実施の形態１における調整装置の側面図である。
【図５】本発明の実施の形態１における調整装置の調整作業を示す模式図である。
【図６】本発明の実施の形態１における装着された調整装置の側面図である。
【図７】本発明の実施の形態１における取り付け用枠材の斜視図である。
【図８】本発明の実施の形態１における取り付け用枠材の斜視図である。
【図９】本発明の実施の形態２における調整装置の斜視図である。
【図１０】本発明の実施の形態２における調整装置の斜視図である。
【図１１】本発明の実施の形態２における取り付け用枠材の側断面図である。
【図１２】本発明の実施の形態３における取り付け用枠材の固定を示す説明図である。
【図１３】本発明の実施の形態３における取り付け用枠材の固定を示す説明図である。
【図１４】本発明の実施の形態３における壁面に取り付けられた取り付け用枠材の側面図である。
【符号の説明】
【０２１１】
１    調整装置
２    壁側取り付け部材
３    枠側取り付け部材
４    調整部材
５    固定孔
６    第１筒部
７    第１ねじ溝
８    座面
９    外筒
１０    座部
１１    第１孔
１２    第２孔
１３    ねじ孔
１５    第２筒部
１６    貫通孔
１７    第２ねじ溝
【図１】
2011074631.tif 000003
【図２】
2011074631.tif 000004
【図３】
2011074631.tif 000005
【図４】
2011074631.tif 000006
【図５】
2011074631.tif 000007
【図６】
2011074631.tif 000008
【図７】
2011074631.tif 000009
【図８】
2011074631.tif 000010
【図９】
2011074631.tif 000011
【図１０】
2011074631.tif 000012
【図１１】
2011074631.tif 000013
【図１２】
2011074631.tif 000014
【図１３】
2011074631.tif 000015
【図１４】
2011074631.tif 000016